(57)【特許請求の範囲】
【請求項１】
第１開口を有する肩部材と、
第２開口を有する本体部と、前記本体部の上端部から外周に向かって延びるツバ部とを有する保護枠と、
前記肩部材の前記第１開口に挿通されると共に前記保護枠に収容される内鍋と、
閉状態において前記内鍋を覆う開閉自在な蓋体と、
前記蓋体が閉じられている状態において、前記内鍋内の圧力を調整する圧力調整機構と、
前記ツバ部および前記肩部材に一体に結合される補強部材と
を備える、圧力炊飯器。
【請求項２】
前記保護枠の外周を覆うと共に、前記肩部材により上部が覆われる筒状の外装体をさらに備え、
前記補強部材は、前記ツバ部、前記肩部材および前記外装体に一体に結合される
請求項１に記載の圧力炊飯器。
【請求項３】
上方に開口する保護枠と、
前記保護枠に収容される内鍋と、
前記内鍋を覆う蓋部と、被係止部とを有する蓋体と、
前記蓋体を開閉自在に接続する開閉機構と、
前記内鍋を介して前記開閉機構に対向するように配置され、前記蓋体の前記被係止部を係止する係止部と、
前記蓋体が閉じられている状態において、前記内鍋内の圧力を調整する圧力調整機構と、
前記保護枠の上端部から開閉機構側および係止部側の少なくとも片側に向かって延びるツバ部と、
前記ツバ部に取り付けられる補強部材と
を備える、圧力炊飯器。
【請求項４】
開口を有する肩部材をさらに備え、
前記内鍋は、前記肩部材の開口に挿通されると共に前記保護枠に収容され、
前記開閉機構は、前記肩部材の後方に設けられ、前記蓋体を前記肩部材に対して開閉自在に接続し、
前記係止部は、前記肩部材の前方に設けられ、前記蓋体の前記被係止部を係止し、
前記ツバ部は、前記肩部材と上下方向に対向し、
前記補強部材は、前記ツバ部と前記肩部材との間に挟まれた状態で前記ツバ部および前記肩部材に一体に結合される
請求項３に記載の圧力炊飯器。
【発明の詳細な説明】
【技術分野】
【０００１】
本発明は、圧力炊飯器に関する。
【背景技術】
【０００２】
近年、内鍋内に大気圧以上の圧力をかけて炊飯する圧力炊飯器が知られている。この圧力炊飯器では、炊飯時、通常、内鍋内に１．１〜１．３気圧の圧力がかけられる。このため、この圧力炊飯器では、通常の炊飯器に比べ、本体および蓋体に大きな負荷がかかる。したがって、このような圧力炊飯器では、本体および蓋体を十分に補強する必要がある。
【０００３】
このような補強方法として、過去に「本体の肩部材に金属製の補強板を入れる方法」が提案されている（例えば、特開２００６−０２５８６１号公報および特開２００７−２３６５０８号公報等参照）。
【先行技術文献】
【特許文献】
【０００４】
【特許文献１】特開２００６−０２５８６１号公報
【特許文献２】特開２００７−２３６５０８号公報
【発明の概要】
【発明が解決しようとする課題】
【０００５】
本発明の課題は、過度の費用をかけることなく効率的に圧力炊飯器の本体をさらに補強することにある。
【課題を解決するための手段】
【０００６】
本発明の第１局面に係る圧力炊飯器は、肩部材、保護枠、内鍋、蓋体、圧力調整機構および補強部材を備える。肩部材は、第１開口を有する。保護枠は、本体部およびツバ部（フランジ部）を有する。本体部は、第２開口を有する。ツバ部は、本体部の上端部から外周に向かって延びる。内鍋は、肩部材の第１開口に挿通されると共に保護枠に収容される。蓋体は、開閉自在であって、閉状態において内鍋を覆う。圧力調整機構は、蓋体が閉じられている状態において、内鍋内の圧力を調整する。補強部材は、ツバ部および肩部材に一体に結合される。
【０００７】
この圧力炊飯器では、補強部材、ツバ部および肩部材が一体に結合される。このため、この圧力炊飯器では、部品点数を増やすことなく、肩部材に加えて保護枠を補強することができる。したがって、この圧力炊飯器では、過度の費用をかけることなく効率的に本体をさらに補強することができる。
【０００８】
本発明の第２局面に係る圧力炊飯器は、第１局面に係る圧力炊飯器であって、外装体をさらに備える。外装体は、筒状を呈しており、保護枠の外周を覆う。また、この外装体は、肩部材により上部が覆われる。そして、補強部材は、ツバ部、肩部材および外装体に一体に結合される。なお、このとき、補強部材は、ツバ部と肩部材との間に挟まれるのが好ましい。このようにすれば、ツバ部および肩部材の両方に十分な補強効果を享受することができるからである。
【０００９】
この圧力炊飯器では、補強部材、ツバ部、肩部材および外装体が一体に結合される。このため、部品点数を増やすことなく、肩部材に加えて保護枠および外装体を補強することができる。したがって、この圧力炊飯器では、過度の費用をかけることなく効率的に本体をさらに補強することができる。
【００１０】
本発明の第３局面に係る圧力炊飯器は、保護枠、内鍋、蓋体、開閉機構、係止部、圧力調整機構、ツバ部および補強部材を備える。保護枠は、上方に開口する。内鍋は、保護枠に収容される。蓋体は、蓋部および被係止部を有する。蓋部は、内鍋を覆う。開閉機構は、蓋体を開閉自在に接続する。係止部は、内鍋を介して開閉機構に対向するように配置される。そして、この係止部は、蓋体の被係止部を係止する。圧力調整機構は、蓋体が閉じられている状態において、内鍋内の圧力を調整する。ツバ部は、保護枠の上端部から開閉機構側および係止部側の少なくとも片側に向かって延びる。補強部材は、ツバ部に取り付けられる。
【００１１】
この圧力炊飯器では、保護枠の上端部から開閉機構側および係止部側の少なくとも片側に向かってツバ部が延びており、そのツバ部に補強部材が取り付けられている。このため、この圧力炊飯器では、開閉機構および係止部の少なくとも一方が直接的に又は間接的にツバ部に結合されていれば、部品点数を増やすことなく、応力が集中しやすい開閉機構、係止部の周辺を効率的に補強することができる。よって、この圧力炊飯器では、過度の費用をかけることなく効率的に本体をさらに補強することができる。
【００１２】
本発明の第４局面に係る圧力炊飯器は、第３局面に係る圧力炊飯器であって、肩部材をさらに備える。肩部材は、開口を有する。また、内鍋は、肩部材の開口に挿通されると共に保護枠に収容される。開閉機構は、肩部材の後方に設けられる。そして、この開閉機構は、蓋体を肩部材に対して開閉自在に接続する。係止部は、肩部材の前方に設けられる。そして、係止部は、蓋体の被係止部を係止する。ツバ部は、肩部材と上下方向に対向する。そして、補強部材は、ツバ部と肩部材との間に挟まれた状態でツバ部および肩部材に一体に結合される。なお、ツバ部が開閉機構側に向かって延びている場合、その補強部材は、ツバ部と肩部材との間に挟まれる被挟持部のみならず、ツバ部を被挟持部と協働して挟み込む挟持部を有するのが好ましい。このようにすれば、圧力炊飯時や蓋体開閉時に大きな負荷がかかる開閉機構側をさらに補強することができるからである。
【００１３】
この圧力炊飯器では、肩部材の後方に開閉機構が設けられ、肩部材の前方に係止部が設けられる。また、この圧力炊飯器では、ツバ部が肩部材と上下方向に対向する。そして、補強部材がツバ部と肩部材との間に挟まれた状態で補強部材がツバ部および肩部材に一体に結合される。このため、この圧力炊飯器では、部品点数を増やすことなく、応力が集中しやすい開閉機構、係止部の周辺を効率的に補強することができる。よって、この圧力炊飯器では、過度の費用をかけることなく効率的に本体をさらに補強することができる。
【００１４】
本発明の第５局面に係る係止装置は、係止機構および被係止部を備える。係止機構は、開口部、遮蔽部材および第１付勢部材を有する。開口部には、開口が形成される。遮蔽部材は、正面視において開口の下方に配置され、正面視において開口を遮蔽するように第１付勢部材によって上方に付勢されている。なお、この遮蔽部材は、平面視において開口から正面側に露出している。そして、この遮蔽部材は、第１付勢部材の付勢力よりも大きな力が加えられると、開口を開放する状態となる。被係止部は、係止機構に向かって押し下げられると、第１付勢部材の付勢力に逆らって遮蔽部材を押し下げ、遮蔽部材の上方に現れる開口に入り込むことにより係止機構に係り止められる。また、被係止部が開口から抜き出されると、遮蔽部材は、第１付勢部材の付勢力により開口を遮蔽する状態となる。
被係止部は、係止機構の上方において軸支されると共に、第２付勢部材により正面側から背面側に向かって付勢されるのが好ましい。なお、かかる場合、開口部の上方近傍に、背面側から正面側に向かうに従って下方に傾斜する傾斜面が形成されるのが好ましい。このようすれば、被係止部の先端部分が傾斜面に接触しながら下方に移動する間、被係止部が、第２付勢部材の付勢力に逆らって背面側から正面側に向かって回動する。そして、被係止部が遮蔽部材に当接して遮蔽部材を下方に向かって押しこむと、遮蔽部材の上方に開口が現れる。すると、第２付勢部材の付勢力により被係止部がその開口に嵌り込む。一方、被係止部は、第２付勢部材の付勢力に逆らって正面側に回動させると、開口から排出されると共に、第１付勢部材の付勢力によって遮蔽部材が上方に押し上げられ、開口が閉塞される状態となる。
【００１５】
ところで、圧力炊飯器では、蓋体の係止部は圧力に耐え得る必要がある。そのため、圧力炊飯器の被係止部は、通常の炊飯器の被係止部よりもストロークが大きくなる。このため、圧力炊飯器の係止部には、通常の炊飯器の係止部よりも大きな孔（開口）を形成しなければならない。しかし、係止部に大きな孔が存在すると、その孔にご飯粒等の異物が入り込むおそれがある。このように孔に異物が入り込むと、係止部への被係止部の係止が阻害され、半ロック状態（被係止部の先端が係止部に僅かに掛っている状態）となるおそれがある。圧力炊飯器において半ロック状態のままで炊飯運転が行われると、炊飯運転中に圧力より蓋体が勢いよく開き、内容物が飛び散ってしまうおそれがある。
本発明の課題は、係止孔への異物の侵入を防止することができる係止装置を提供することにある。なお、本発明に係る係止装置は、圧力炊飯器のみならず通常の炊飯器に適用されてもかまわない。
第５局面に係る係止装置では、遮蔽部材が、正面視において開口の下方に配置され、正面視において開口を遮蔽するように第１付勢部材によって上方に付勢されている。被係止部は、係止機構に向かって押し下げられると、第１付勢部材の付勢力に逆らって遮蔽部材を押し下げ、遮蔽部材の上方に現れる開口に入り込むことにより係止機構に係り止められる。また、被係止部が開口から抜き出されると、遮蔽部材は、第１付勢部材の付勢力により開口を遮蔽する状態となる。このため、この係止装置では、被係止部が係止機構に係り止められる場合を除き、開口が遮蔽部材によって閉塞されている。したがって、この係止装置では、開口（孔）に異物が侵入するのを防止することができる。
【図面の簡単な説明】
【００１６】
【図１】本発明の実施の形態に係る圧力炊飯器の正面図である。
【図２】図１に図示される圧力炊飯器のＡ−Ａ断面図である。
【図３】本発明の実施の形態に係る圧力炊飯器を構成する外装体の側壁、保護枠およびヒンジ側補強部材の配置関係を示す図である。
【図４】本発明の実施の形態に係る圧力炊飯器において、肩部材を保護枠に嵌め込んだ状態でヒンジ側補強部材を肩部材の背面から挿入しようとする状態を示す図である。
【図５】本発明の実施の形態に係る圧力炊飯器において、肩部材を保護枠に嵌め込んだ状態でヒンジ側補強部材を肩部材の背面から挿入した状態を示す図である。
【図６】図５の第１中間組立体を外装体の側壁に組み付けようとする状態を示す図である。
【図７】図６の第２中間組立体の底面図である。
【図８】図６の第２中間組立体のＢ−Ｂ断面図である。
【図９】本発明の実施の形態に係る圧力炊飯器において、保護枠のレバー側ツバ部にレバー側補強部材が取り付けられた状態を示す図である。
【図１０】本発明の実施の形態に係る圧力炊飯器の本体の正面側斜視図と、係止部の開状態時および閉状態時の拡大図とを併せて示す図である。
【図１１】本発明の実施の形態に係る圧力炊飯器の係止部のＢ−Ｂ断面図である。
【発明を実施するための形態】
【００１７】
本発明の実施の形態に係る圧力炊飯器１００は、図１および図２に示されるように、主に、本体２００、蓋体３００および内鍋４００から構成される。以下、圧力炊飯器１００の各構成要素について詳述する。
【００１８】
＜圧力炊飯器の構成要素＞
（１）本体
本体２００は、図１、図２、図８および図９に示されるように、主に、外装体２１０、保護枠２２０、肩部材２３０、レバー側補強部材２４１、ヒンジ側補強部材２４２、加熱部（図示せず）から構成されている。以下、本体２００の各構成要素について詳述する。
【００１９】
（１−１）外装体
外装体２１０は、図１および図２に示されるように、側壁２１１および底壁２１２から構成されている。なお、この外装体２１０は、例えば、ポリプロピレン樹脂等の樹脂から形成されている。
【００２０】
側壁２１１は、図３に示されるように、背壁部２１１ａを有している。この背壁部２１１ａには、図３に示されるように、水平張出部２１１ｃが形成されている。そして、この水平張出部２１１ｃには、上下方向に貫通する外装取付孔２１１ｂが形成されている。
【００２１】
（１−２）保護枠
保護枠２２０は、図２、図３、図８および図９に示されるように、主に、本体部２２１、レバー側ツバ部２２２ａ、ヒンジ側ツバ部２２２ｂおよびボス部２２３から構成されている。
【００２２】
本体部２２１は、図９に示されるように、上方に開口２２４を有する椀上の樹脂成形体である。なお、この本体部２２１は、例えば、強化繊維入りのポリエチレンテレフタレート樹脂等の樹脂から形成されている。
【００２３】
レバー側ツバ部２２２ａは、図９に示されるように、本体部２２１の上端部から水平方向に沿って本体部２２１の外周側に延びている（なお、「このレバー側ツバ部２２２ａは、本体部２２１の上端部から水平方向に沿って前方に延びている」とも言える）。また、このレバー側ツバ部２２２ａには、図４〜図７に示されるように、取付孔２２２ｃが形成されている。
【００２４】
ヒンジ側ツバ部２２２ｂは、図９に示されるように、レバー側ツバ部２２２ａの反対側の上端部から水平方向に沿ってレバー側ツバ部２２２ａの反対方向に向かって延びている（なお、「このヒンジ側ツバ部２２２ｂは、本体部２２１の上端部から水平方向に沿って後方に延びている」とも言える）。なお、本体２００が組み立てられた状態において平面視したとき、レバー側ツバ部２２２ａは係止部２３０ｃ（後述）に対向し、ヒンジ側ツバ部２２２ｂはヒンジ部２３０ａ（後述）に対向する。そして、このヒンジ側ツバ部２２２ｂには、下面から下方に向かって延びるボス部２２３が形成されている。そして、このボス部２２３には、図４および図８に示されるように、ボス孔２２３ａが形成されている。
【００２５】
（１−３）肩部材
肩部材２３０は、図４、図８および図１０に示されるように、開口２３０ｂを有する枠状の部材である。なお、この肩部材２３０は、例えば、ポリプロピレン樹脂等の樹脂から形成されている。また、この肩部材２３０のヒンジ部側の枠体部分には、図８に示されるように、肩取付孔２３０ｄが形成されている。そして、この肩部材２３０には、ヒンジ部２３０ａおよび係止部２３０ｃが設けられる。
【００２６】
ヒンジ部２３０ａは、図８および図１０に示されるように、肩部材２３０の後方に設けられている。そして、このヒンジ部２３０ａには、蓋体３００が開閉自在に装着される。
【００２７】
係止部２３０ｃは、図１０および図１１に示されるように、主に、前壁部２３６、肩カバー部２３１、シャッター２３２、スプリング２３３および当板２３４から構成されている。前壁部２３６は、図１０に示されるように肩部材２３０の前方の上面から上方に向かって延びている。また、この前壁部２３６には、図１０に示されるように、左右に２つの互いに独立した凹部が形成されている。なお、凹部は、底壁を有さず、下方に開口している。そして、この前壁部２３６が肩カバー部２３１で覆われることにより、前壁部２３６の凹部と肩カバー部２３１との間に、前後方向に貫通する矩形の貫通孔が形成される（図１０参照）。なお、この貫通孔の上部、すなわち、肩カバー部２３１の下面には、図１１に示されるように、金属製の当板２３４が設けられる。シャッター２３２は、図１０および図１１に示されるように、凹部の下方に配置されるスプリング２３３により上方に付勢されており、通常、上述の貫通孔を閉塞している。そして、このシャッター２３２は、蓋体３００が閉められると、蓋体３００のレバー部材３４０（後述）によって押し下げられる（図１０参照）。その結果、レバー部材３４０の先端部が貫通孔に入り込み、図１１に示されるように、レバー部材３４０が当板２３４に係り止められる（レバー部材３４０の詳細な動きについては後述する）。
なお、図１１に示されるように、シャッター２３２の下方には、レバー側ツバ部２２２ａが位置している。また、肩部材２３０の内周壁２３５（図１１参照）の前方部分において幅方向中央部には、下端から上方に向かって延びる切り欠きが形成されている。つまり、前方部分の幅方向中央部では、レバー側ツバ部２２２ａと肩部材２３０との間に僅かな隙間が生じている。このため、例えば、肩部材２３０の上に溜まった水がシャッター２３２の隙間に浸入したとしても、その水は、一旦、レバー側ツバ部２２２ａで受けられた後、上述の隙間から保護枠２２０の本体部２２１へと排出される。この圧力炊飯器１００では、このようにして電装部品等に水が接触することを防止している。なお、かかる場合、レバー側補強部材２４１に水が接触するおそれが十分にあるため、レバー側補強部材２４１は、ステンレス鋼等の錆びにくい金属または合金から形成されるのが好ましい。
【００２８】
（１−４）レバー側補強部材
レバー側補強部材２４１は、金属製の板部材であって、図９に示されるように保護枠２２０のレバー側ツバ部２２２ａに上面側にビス止めされている。また、このレバー側補強部材２４１は、レバー側ツバ部２２２ａに対向する肩部材２３０の部分にも取付孔２２２ｃ（図４〜図７参照）を介してビス止めされる。すなわち、レバー側補強部材２４１は、レバー側ツバ部２２２ａと肩部材２３０の前部とに挟まれ、レバー側ツバ部２２２ａおよび肩部材２３０の前部の両方にビス止めされている。
【００２９】
（１−５）ヒンジ側補強部材
ヒンジ側補強部材２４２は、複雑な形状を有する金属製の板部材であって、図４に示されるように、背壁部２４２ａ、底壁部２４２ｂ、ヒンジ部２４２ｃ、側壁部２４２ｄおよび天壁部２４２ｅから形成されている。なお、このヒンジ側補強部材２４２は、一枚の金属板から形成されている。
【００３０】
背壁部２４２ａには、背壁取付孔２４２ｈが複数形成されている。
【００３１】
側壁部２４２ｄは、背壁部２４２ａの両側端から前方に向かって延びる一対の部位である。
【００３２】
ヒンジ部２４２ｃは、図４に示されるように、側壁部２４２ｄの上端から上方に向かって延びる一対の部位である。なお、このヒンジ部２４２ｃは、肩部材２３０のヒンジ部２３０ａを補強する役割を担っている。
【００３３】
底壁部２４２ｂは、図４に示されるように、側壁部２４２ｄの下端から水平方向に沿って内側に向かって延びる一対の部位である。そして、この底壁部２４２ｂには、図４に示されるように、底壁取付孔２４２ｆが１つずつ形成されている。なお、肩部材２３０の背面に設けられる挿入孔（図示せず）にヒンジ側補強部材２４２が挿入されると、この底壁部２４２ｂは、図８に示されるように、保護枠２２０のボス部２２３の下端に近接する。また、この際、底壁取付孔２４２ｆは、図８に示されるように、保護枠２２０のボス孔２２３ａの直下に位置する。
【００３４】
天壁部２４２ｅは、図４に示されるように、側壁部２４２ｄの上端から水平方向に沿って内側に向かって延びる一対の部位である。そして、この天壁部２４２ｅには、図４に示されるように、天壁取付孔２４２ｇが１つずつ形成されている。なお、肩部材２３０の背面に設けられる挿入孔（図示せず）にヒンジ側補強部材２４２が挿入されると、この天壁取付孔２４２ｇは、図８に示されるように、肩部材２３０の肩取付孔２３０ｄの直下に位置する。
【００３５】
（１−６）加熱部
加熱部は、電磁誘導コイルであって、保護枠の下端部に巻き付けられおり、図示しない制御部により制御される。
【００３６】
（２）蓋体
蓋体３００は、ヒンジ機構（図示せず）を介して開閉自在に本体２００に取り付けられている。この蓋体３００は、図１、図２および図１１に示されるように、外装体３０１、操作パネル部３１０、表示部（図示せず）、開閉ボタン３１１、圧力調整機構（図示せず）、補強部材（図示せず）、蓋部３３０およびレバー部材３４０から構成されている。以下、蓋体３００の各構成要素について詳述する。
【００３７】
（２−１）外装体
外装体３０１は、図１および図２に示されるように、下方が開口した略直方体状の部材である。そして、この外装体３０１の上面には、操作パネル部３１０、表示部および開閉ボタン３１１が配置されている。また、この外装体３０１の内部には、図２に示されるように、圧力調整機構、蓋部３３０およびレバー部材３４０（図１１参照）等が格納される。
【００３８】
（２−２）操作パネル部
操作パネル部３１０には、図１に示されるように、操作ボタン３１２ａ，３１２ｂ，３１２ｃが設けられている。
【００３９】
（２−３）表示部
表示部には、図示しない制御部から送信される種々の情報が表示される。
【００４０】
（２−３）開閉ボタンおよびレバー部材
開閉ボタン３１１は、蓋体３００を開閉するためのボタンであり、レバー部材３４０に連結されている。レバー部材３４０は、下方に延びる垂直板部と、垂直板部の下端から後方に向かって延びる水平板部とから形成される断面略Ｌ字状の金属板部材であり、垂直板部の上端部において軸支されると共に付勢部材（図示せず）により後方に向かって付勢されている。なお、蓋体３００を閉状態とするとき、ユーザは開閉ボタン３１１を操作する必要がなく、そのまま蓋体３００を本体２００に向かって倒し込めばよい。このとき、レバー部材３４０の水平板部の先端部分が、肩部材２３０の肩カバー部２３１上の傾斜面ＳＬ（図１０および図１１参照）に接触しながら下方に移動する。この間、レバー部材３４０は、付勢部材の付勢力に逆らって前方に向かって回動する。そして、レバー部材３４０がシャッター２３２に当接してシャッター２３２を下方に向かって押しこむと、シャッター２３２の上方に貫通孔が現れる。すると、付勢部材の付勢力により垂直板部がその貫通孔に嵌り込む。このようにして蓋体３００が閉状態となる。一方、蓋体３００を開状態とするとき、ユーザは、開閉ボタン３１１を下方に押しこむ。すると、レバー部材３４０が、付勢部材の付勢力に逆らって前方に向かって回動する。このとき、貫通孔に嵌り込んでいた垂直板部が貫通孔から排出されると共に、スプリング２３３の付勢力によってシャッター２３２が上方に押し上げられ、貫通孔が閉塞される状態となる。そして、ヒンジ機構の付勢力により蓋体３００が上方に持ち上げられ、蓋体３００が開状態となる。
【００４１】
（２−４）圧力調整機構
圧力調整機構は、蓋体３００が閉状態とされ炊飯運転されている状態において、内鍋４００の内部の圧力を１．０３〜１．３気圧に調整する。なお、本実施の形態において、この圧力調整機構としては、特に限定されず、従前のものが採用されてもかまわない。
【００４２】
（２−５）補強部材
補強部材は、蓋体３００の強度を高めるためのものである。なお、本実施の形態において、補強部材は、特に限定されず、金属板そのものであってもよいし、金属板を複雑形状にしたものであってもよい。
【００４３】
（２−６）蓋部
蓋部３３０は、図２に示されるように、内鍋４００の上部を覆って密閉するための部材である。
【００４４】
（３）内鍋
内鍋４００は、上方に開口する椀状の鍋であって、肩部材２３０の開口２３０ｂに挿通されると共に、保護枠２２０の本体部２２１に所定の隙間をもって収容される。
【００４５】
＜本体の組立て＞
先ず、図９に示されるように、保護枠２２０のレバー側ツバ部２２２ａにレバー側補強部材２４１がビス止めされる（図９では中央部分でビス止めされている）。
【００４６】
次に、保護枠２２０の上に肩部材２３０が嵌め込まれる（図４等参照）。なお、このとき、肩部材２３０のボス孔（図示せず）、レバー側補強部材２４１の貫通孔２４１ａ（図９参照）および保護枠２２０の取付孔２２２ｃ（図４〜図７参照）が一直線上に並んで第１連通孔が形成される。そして、この第１連通孔にビスが螺入されて、保護枠２２０、レバー側補強部材２４１および肩部材２３０が一体に結合される。
【００４７】
続いて、図４に示されるように、肩部材２３０の背面にある挿入孔にヒンジ側補強部材２４２が挿入され、図５に示される組立体が形成される。なお、以下、この組立体を「第１中間組立体」と称する。
【００４８】
そして、図６に示されるように、外装体２１０の側壁２１１に第１中間組立体が挿入され、図７および図８に示される組立体が形成される。なお、以下、この組立体を「第２中間組立体」と称する。この第２中間組立体では、図７に示されるように、保護枠２２０のボス孔２２３ａ、ヒンジ側補強部材２４２の底壁取付孔２４２ｆ、外装体２１０の外装取付孔２１１ｂが一直線上に並んで第２連通孔が形成されていると共に、肩部材２３０の肩取付孔２３０ｄおよびヒンジ側補強部材２４２の天壁取付孔２４２ｇが一直線上に並んで第３連通孔が形成されている。そして、この第２連通孔および第３連通孔にビスが螺入されて、保護枠２２０、肩部材２３０、ヒンジ側補強部材２４２および外装体２１０が一体に結合される。
【００４９】
＜本実施の形態に係る圧力炊飯器の特徴＞
（１）
本発明の実施の形態に係る圧力炊飯器１００では、前側（係止部側）において保護枠２２０、レバー側補強部材２４１および肩部材２３０が一体に結合されると共に、後側（ヒンジ部側）において保護枠２２０、肩部材２３０、ヒンジ側補強部材２４２および外装体２１０が一体に結合される。このため、この圧力炊飯器１００では、部品点数を増やすことなく（製造コストを増大させることなく）、圧力炊飯時や蓋体開閉時に応力が集中しやすいヒンジ機構および係止部２３０ｃを効率的に補強することができる。
【００５０】
（２）
本発明の実施の形態に係る圧力炊飯器１００では、係止部２３０ｃにシャッター機構が採用されている。このため、この圧力炊飯器１００では、係止部２３０ｃの貫通孔内にご飯粒等の異物が侵入するのを防止することができる。このため、この圧力炊飯器１００では、蓋体３００が半ロック状態になるのを防止することができる。
【００５１】
＜変形例＞
（Ａ）
先の実施の形態に係る圧力炊飯器１００の本体２００の組立てでは、先ず、保護枠２２０のレバー側ツバ部２２２ａにレバー側補強部材２４１がビス止めされた。しかし、先ず、レバー側補強部材２４１が肩部材２３０にビス止めされてもよい。
【００５２】
（Ｂ）
先の実施の形態に係る圧力炊飯器１００の本体２００の組立てでは、保護枠２２０、肩部材２３０、ヒンジ側補強部材２４２および外装体２１０の締結手段としてビス止めが採用されたが、締結手段として、ボルト・ナット、リベット等が採用されてもよい。
【００５３】
（Ｃ）
先の実施の形態では、圧力炊飯器１００の係止部２３０ｃにシャッター機構が採用されていたが、通常の炊飯器の係止部にシャッター機構が採用されてもかまわない。
【符号の説明】
【００５４】
１００        圧力炊飯器
２１０        外装体
２２０        保護枠
２２１        本体部
２２２ａ      レバー側ツバ部（ツバ部）
２２２ｂ      ヒンジ側ツバ部（ツバ部）
２２４        開口（第２開口）
２３０        肩部材
２３０ａ      ヒンジ部（開閉機構）
２３０ｂ      開口（第１開口）
２３０ｃ      係止部
２４１        レバー側補強部材（補強部材）
２４２        ヒンジ側補強部材（補強部材）
３００        蓋体
３３０        蓋部
３４０        レバー部材（被係止部）
４００        内鍋
【図１】
0005690660.tif 000002
【図２】
0005690660.tif 000003
【図３】
0005690660.tif 000004
【図４】
0005690660.tif 000005
【図５】
0005690660.tif 000006
【図６】
0005690660.tif 000007
【図７】
0005690660.tif 000008
【図８】
0005690660.tif 000009
【図９】
0005690660.tif 000010
【図１０】
0005690660.tif 000011
【図１１】
0005690660.tif 000012